(57)【要約】      （修正有）【課題】使用者が元々所有する物干し器がそのまま使え、物干し器を持って手が塞がっている時にでも片手で容易にドア上部に取り付けが可能で、収納にも場所をとらず、構造が簡単で製造コストを抑えられ、ある程度の荷重にも耐え得る物干し補助具を提供する。【解決手段】略直線状の本体部１の片端に、ドア上部に遊嵌される第一フック部２と、反対側の片端に物干し器などを吊下可能な第二フック部３とを備え、両端の第一及び第二フック部の開口部が本体部を水平軸とした時に向背の状態で設けられ、本体部の略中央部分に設けられた回動支点部を支点として、本体部と並列に当接した状態から自重により一定角度回動可能に枢着された支柱部１０を有する構成とする。【選択図】図１
0003220752.tif 000002
【実用新案登録請求の範囲】
【請求項１】
主に室内のドアの上部に引っ掛けて洗濯用物干し器などを吊下するための物干し補助具であって、
略直線状の本体部の片端に、ドア上部に遊嵌される第一フック部と、反対側の片端に物干し器などを吊下可能な第二フック部とを備え、
且つ両端の第一及び第二フック部の開口部が本体部を水平軸とした時に向背の状態で設けられ、
更に前記本体部の略中央部分に設けられた回動支点部を支点として、本体部と並列に当接した状態から自重により一定角度回動可能に枢着された支柱部を有する物干し補助具。
【請求項２】
前記第一フック部の開口部は、前記支柱部を一定角度回動させた状態で第一フック部をドアの上部に遊嵌させた時、本体部がドア上部より斜め下方向に垂下されるのと同時に前記支柱部の先端がドアの側面に当接し、且つ前記第二フック部の開口部が上方を向く角度に設けられた請求項１に記載の物干し補助具。
【請求項３】
本体部あるいは支柱部の少なくともいずれかに、支柱部が略直線状の本体部に並列に係止収納できる係止手段を備えた請求項１及び２に記載の物干し補助具。
【請求項４】
本体部の第一フック部と支柱部のドアに当接する先端部の少なくともいずれかに、軟質のゴム又は合成樹脂素材を付加したことを特徴とする請求項１及び２に記載の物干し補助具。
【考案の詳細な説明】
【技術分野】
【０００１】  本考案は、主に室内のドアの上部に引っ掛けて洗濯用物干し器などを吊下するための物干し補助具である。
【背景技術】
【０００２】  従来から、洗濯物の部屋干し目的で、ドアの上部にフック状の物を引っ掛けて使用する物干し器や物干し補助具が知られている。【０００３】  特許文献１及び２の物干し具は、略矩形の本体枠に複数の洗濯ばさみを有する物干し器のフック部が、本体枠の中心の垂直軸上にある位置からドアの上部に引っ掛けられる位置にまで横方向に移動する手段を有する。【０００４】  特許文献３の物干し具は、ドアの上部を２個の係合部材で直接挟み込むことによりドアに取り付けて使用するドア用物干し器具である。
【先行技術文献】
【特許文献】
【０００５】
【特許文献１】特開２０１１−１１０１０８号広報
【特許文献２】特開２００７−７５５３７号広報
【特許文献３】特開平１０−８５４９５号広報
【考案の概要】
【考案が解決しようとする課題】
【０００６】  しかしながら、上記特許文献１や２に見られる方法は、略矩形の本体枠に複数の洗濯ばさみを有する物干し器のフック部が、本体枠の中心の垂直軸上にある位置からドアの上部に引っ掛けられる位置にまで横方向に移動する手段を有する構造になっており、元々このような構造を有さない物干し器を所持する者にとっては、わざわざこの手段を有する物干し器を買い替え又は買い足さなければいけないといった経済的な負担や、前記構造を有する物干し器と有さない物干し器を複数所有することによる収納スペースの占有や使い分けの煩わしさの問題と、構造が複雑になり製造コストが高くなると言った問題があった。【０００７】  特許文献３に見られる方法は、長尺状本体を２個の係合部材でドアを挟み込み、ドアの上部より水平方向になるように取り付けられるため、背の低い者にとっては取り付けづらく、また片手では操作しづらいため、物干し器などを持って手が塞がっている時などには不向きであった。【０００８】  また、特許文献３に見られる方法は、吊下する物干し具の荷重を２個の係合部材で水平に支えることとなり、耐荷重の点で課題があった。【０００９】  そこで本考案は上記の問題に鑑みてなされたものであり、その目的は、元々所有する物干し器が従来通りそのまま使え、物干し器を持って手が塞がっている時にでも片手で容易にドア上部に取り付けが可能で、収納にも場所をとらず、構造が簡単で製造コストを抑えられ、ある程度の荷重にも耐え得る物干し補助具を提供することである。
【課題を解決するための手段】
【００１０】  本考案に係る物干し補助具は、略直線状の本体部の片端に、ドア上部に遊嵌される第一フック部と、反対側の片端に物干し器などを吊下可能な第二フック部とを備え、且つ両端の第一及び第二フック部の開口部が本体部を水平軸とした時に向背の状態で設けられ、更に前記本体部の略中央部分に設けられた回動支点部を支点として、本体部と並列に当接した状態から自重により一定角度回動可能に枢着された支柱部を有する。【００１１】  また本考案に係る物干し補助具は、前記第一フック部の開口部は、前記支柱部を一定角度回動させた状態で第一フック部をドアの上部に遊嵌させた時、本体部がドア上部より斜め下方向に垂下されるのと同時に前記支柱部の先端がドアの側面に当接し、且つ前記第二フック部の開口部が上方を向く角度に構成されている。【００１２】  この時、本考案に係る物干し補助具は、本体部あるいは支柱部の少なくともいずれかに、支柱部が略直線状の本体部に並列に係止収納できる係止手段を備えた構成としても良い。【００１３】  あるいは本考案に係る物干し補助具は、本体部の第一フック部と支柱部のドアに当接する先端部の少なくともいずれかに、軟質のゴム又は合成樹脂素材を付加した構成としても良い。
【考案の効果】
【００１４】  上述のように、この構成によれば、本考案の物干し補助具は、略直線状の本体部の片端に、ドア上部に遊嵌される第一フック部と、反対側の片端に物干し器などを吊下可能な第二フック部とを備え、且つ両端の第一フック部の開口部が本体部を水平軸とした時に向背の状態で設けられ、更に前記本体部の略中央部分に、本体部の半分以下の長さで、本体部と並列に当接した状態から略中央部分を支点として、自重により一定角度回動可能に枢着された支柱部を有する簡素的な構造で安価に製造可能となるため、元々ユーザーが所有する物干し器をドア上部に吊下したい場合にのみ本考案の物干し補助具を取り付けて使用すれば良く、それ以外の場合、例えば屋外やベランダまたは浴室などで物干し器を使用したい場合は、従来所有する物干し器をそのまま使用すれば良く、買い替えや買い足しによる経済的な負担が低い。また、前記構造を有する物干し器と有さない物干し器を複数所有することによる収納スペースの占有や使い分けの煩わしさが無い。【００１５】  またこの構成によれば、本考案の物干し補助具は、前記第一フック部の開口部は、前記支柱部を自重により一定角度回動させた状態で第一フック部をドアの上部に遊嵌させた時、本体部がドア上部より斜め下方向に垂下されるのと同時に前記支柱部の先端がドアの側面に当接し、且つ前記第二フック部の開口部が上方を向く角度に設けられるため、ユーザーは物干し器などを持って手が塞がっている時などでも、片手で展開を操作でき、またドア上部から斜め下方向に垂下されるため、比較的背の低い者にとっても取り付けやすい。【００１６】  更にこの構成によれば、本体部あるいは支柱部の少なくともいずれかに、支柱部が略直線状の本体部に並列に係止収納できる係止手段を備えた構造のため、ユーザーは本考案品を使用しない時は本体部と支柱部を係合させることが可能となるため、バラバラにならずにスマートに収納できる。【００１７】  加えてこの構成によれば、本体部の第一フック部と支柱部のドアに当接する先端部の少なくともいずれかに、軟質のゴム又は合成樹脂素材を付加した構造のため、ドアに取り付けた場合でもドア上部や側面をキズ付けにくい。
【図面の簡単な説明】
【００１８】
【図１】本考案による物干し補助具の、展開時側面図である。
【図２】本考案による物干し補助具の、展開時斜視図である。
【図３】本考案による物干し補助具の、本体部と支柱部の係合時側面図である。
【図４】本考案による物干し補助具の、支柱部の回動支点部詳細図である。
【図５】本考案による物干し補助具の、本体部と支柱部の係止部断面図である。
【図６】本考案による物干し補助具の、実施例に基づく使用状態を示す側面図である。
【図７】図６の使用状態における斜視図である。
【考案を実施するための形態】
【００１９】  以下、本考案に係る物干し補助具の実施の形態について図面を参照して説明する。
【００２０】  図１から図５において、本考案に係る物干し補助具は、略直線状の本体部１の片端に、ドア上部に遊嵌される第一フック部２と、反対側の片端に物干し器などを吊下可能な第二フック部３とを同一平面上に備える。
【００２１】  第一フック部２は、側面視で開口部４を有する例えばコの字状を呈し、ドア上部に遊嵌可能な内寸幅Ｗ１と、ドアに掛けた時の安定性を得るための外寸幅Ｗ２とで構成される。
【００２２】  第二フック部３は、側面視で開口部５を有する例えばＵ字状を呈し、物干し器を吊下可能な内寸幅Ｗ３と、物干し器の荷重に耐え得る外寸幅Ｗ４とで構成される。
【００２３】  上記構成において、第一フック部２の開口部４と第二フック部３の開口部５とは、本体部１を水平軸とした時に同一平面上で向背の状態で設けられる。
【００２４】  更に、前記本体部１の略中央部分６に、本体部１の半分程度の長さで、本体部１と並列に当接した状態から、自重により一定角度θ１を回動可能に枢着された支柱部１０を有する。
【００２５】  前記本体部１の略中央部分６には、偏平な回動支点部７が連接され、両側面に円柱状のボス８が設けられている。
【００２６】  前記支柱部１０は、片端に回動支点部７に枢着される枢着部１２と、反対側の片端にドアへ当接する当接部１１とを有する。
【００２７】  また前記枢着部１２は一対の偏平な板状を呈し、円形の貫通孔１３を有するのと同時に、回動可能な前記一定角度θ１に保持するためのストッパー１４が連接されている。
【００２８】  前記ボス８は、貫通孔１３より小さな直径で設けられており、嵌合された状態で支柱部１０は自重で回動可能となる。
【００２９】  更に、本体部１の、支柱部１０が枢着された側の任意の位置に、支柱部１０を本体部１と並列に係止収納する一対の係止片２０が設けられ、支柱部１０を係止するためのフランジ２１が連接されている。
【００３０】  また、支柱部１０には、前記係止片２０に連接されるフランジ２１に対応する位置に、フランジ１５及び係止溝１６が設けられている。
【００３１】  なお前記実施例において、本体部１に設けられた係止片２０と支柱部１０に設けられた係止溝１６は、それぞれ逆の部位に設けた構成であっても良い。
【００３２】  前記構成により、使用者は当接部１１を指等で軽く引っ張って支柱部１０を係止部２０より離すと、回動支点部７を支点として、支柱部１０の自重によって回動可能となる。
【００３３】  このあと、支柱部１０はストッパー１４が本体部１の側面に当接する位置まで回動し、支柱部１０の展開が角度θ１を開いて安定する。この状態で使用者は、第一フック部２を上向きにして把持し、ドアの上部に片手で引っ掛けることが可能となる。
【００３４】  本考案の物干し補助具は、図１に示すように、第一フック部２のコの字状の開口部４を構成する三辺のうち使用者側の一辺９の内壁の平面を鉛直方向に仮想延長した時、支柱部１０は、前記仮想延長線４０が支柱部１０の当接部１１の背面に概ね接する長さに構成される。
【００３５】  この構成により、図６及び図７に示すように、本体部１は、支柱部１０を一定角度θ１回動させた状態で第一フック部２をドア１００の上部に遊嵌させた時、本体部１がドア１００上部より斜め下方向に垂下されるのと同時に支柱部１０の当接部１１がドア１００の側面に当接し、且つ第二フック部３の開口部５が上方を向く角度に設置され、使用者は開口部５に任意の物干し器１０１を吊下することができる。
【００３６】  なお、第一フック部２の開口部４の内面３０と、支柱部１０の当接部１１背面３１に、ゴムまたは軟質の熱可塑性合成樹脂、例えば塩化ビニル樹脂やＴＰＥ（サーモ・プラスチック・エラストマー）樹脂、あるいはシリコーン樹脂などで構成される軟質部が内面３０と背面３１とに一体にまたは間接的に付加されており、ドア１００上部や側面にキズが付いたり、取り付け時の接触による雑音の発生を防ぐ効果がある。
【産業上の利用可能性】
【００３７】  本考案は、室内用の物干し補助具を製造する産業で利用される。
【符号の説明】
【００３８】  １      本体部
２      第一フック部
３      第二フック部
４      開口部
５      開口部
６      略中央部
７      回動支点部
８      ボス
９      内壁平面
１０    支柱部
１１    当接部
１２    枢着部
１３    貫通孔
１４    ストッパー
１５    フランジ１
１６    係止溝
２０    係止片
２１    フランジ２
３０    軟質部
３１    軟質部
４０    仮想延長線
１００  ドア
１０１  物干し器
Ｗ１    内寸幅
Ｗ２    外寸幅
Ｗ３    内寸幅
Ｗ４    外寸幅
θ１    回動角度
【図１】
0003220752.tif 000003
【図２】
0003220752.tif 000004
【図３】
0003220752.tif 000005
【図４】
0003220752.tif 000006
【図５】
0003220752.tif 000007
【図６】
0003220752.tif 000008
【図７】
0003220752.tif 000009
【手続補正書】
【提出日】平成31年1月17日(2019.1.17)
【手続補正１】
【補正対象書類名】実用新案登録請求の範囲
【補正対象項目名】全文
【補正方法】変更
【補正の内容】
【実用新案登録請求の範囲】
【請求項１】
主に室内のドアの上部に引っ掛けて洗濯用物干し器などを吊下するための物干し補助具であって、略直線状の本体部の片端に、ドア上部に遊嵌される第一フック部と、反対側の片端に物干し器などを吊下可能な第二フック部とを備え、且つ両端の第一及び第二フック部の開口部が本体部を水平軸とした時に向背の状態で設けられ、更に前記本体部の略中央部分に設けられた回動支点部を支点として、本体部と並列に当接した状態から自重により一定角度回動可能に枢着された支柱部を有する物干し補助具。
【請求項２】
前記第一フック部の開口部は、前記支柱部を一定角度回動させた状態で第一フック部をドアの上部に遊嵌させた時、本体部がドア上部より斜め下方向に垂下されるのと同時に前記支柱部の先端がドアの側面に当接し、且つ前記第二フック部の開口部が上方を向く角度に設けられた請求項１に記載の物干し補助具。
【請求項３】
本体部あるいは支柱部の少なくともいずれかに、支柱部が略直線状の本体部に並列に係止収納できる係止手段を備えた請求項１または２に記載の物干し補助具。
【請求項４】
本体部の第一フック部と支柱部のドアに当接する先端部の少なくともいずれかに、軟質のゴム又は合成樹脂素材を付加したことを特徴とする請求項１または２に記載の物干し補助具。